【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
Ｃ４Ｆ９ＯＣＨ３および１−ジフルオロメトキシ−１，１，２，２−テトラフルオロエタン、
Ｃ４Ｆ９ＯＣＨ３および２−ジフルオロメトキシ−１，１，１，２−テトラフルオロエタン、
Ｃ４Ｆ９ＯＣＨ３および１−（ジフルオロメトキシ）−１，１，２−トリフルオロエタン、
Ｃ４Ｆ９ＯＣＨ３および１，１，１，２，２−ペンタフルオロ−２−メトキシエタン、
Ｃ４Ｆ９ＯＣＨ３および１−（ジフルオロメトキシ）−１，２，２−トリフルオロエタン、
Ｃ４Ｆ９ＯＣＨ３および２−フルオロメトキシ−１，１，１，２−テトラフルオロエタン、
Ｃ４Ｆ９ＯＣＨ３および１，１−ジフルオロ−２−トリフルオロメトキシエタン、
Ｃ４Ｆ９ＯＣＨ３および２−ジフルオロメトキシ−１，１，１−トリフルオロエタン、
Ｃ４Ｆ９ＯＣＨ３および１−メトキシ−１，１，２，２−テトラフルオロエタン、
Ｃ４Ｆ９ＯＣＨ３および１−ジフルオロメトキシ−２，２−ジフルオロエタン、
Ｃ４Ｆ９ＯＣＨ３および２−メトキシ−１，１，２−トリフルオロエタン、
Ｃ４Ｆ９ＯＣＨ３および２−メトキシ−１，１，１−トリフルオロエタン、
Ｃ４Ｆ９ＯＣＨ３および１，１−ジフルオロ−２−メトキシエタン、
Ｃ４Ｆ９ＯＣＨ３および１，１，１，２，２−ペンタフルオロ−２−（２，２，２−Ｃ４Ｆ９ＯＣＨ３およびトリフルオロエトキシ）エタン、
Ｃ４Ｆ９ＯＣＨ３および１，１’−オキシビス（１，２，２，２−テトラフルオロ）エタン、
Ｃ４Ｆ９ＯＣＨ３および２−（ジフルオロメトキシ）−１，１，１，３，３，３−ヘキサフルオロプロパン、
Ｃ４Ｆ９ＯＣＨ３および３−（ジフルオロメトキシ）−１，１，１，２，２，３−ヘキサフルオロプロパン、
Ｃ４Ｆ９ＯＣＨ３および１，１，１，２，２，３，３−ヘプタフルオロ−３−メトキシプロパン、
Ｃ４Ｆ９ＯＣＨ３および１，１，３，３−テトラフルオロ−１−（トリフルオロメトキシ）プロパン、
Ｃ４Ｆ９ＯＣＨ３および１−（２，２−ジフルオロエトキシ）−１，１，２，２，２−ペンタフルオロエタン、
Ｃ４Ｆ９ＯＣＨ３および３−（ジフルオロメトキシ）−１，１，１，２，２−ペンタフルオロプロパン、
Ｃ４Ｆ９ＯＣＨ３および１，１，２，２−テトラフルオロ−３−（トリフルオロメトキシ）プロパン、
Ｃ４Ｆ９ＯＣＨ３および１，１，１，３，３，３−ヘキサフルオロ−２−（フルオロメトキシ）プロパン、
Ｃ４Ｆ９ＯＣＨ３および１−（２，２，２−トリフルオロエトキシ）−１，１，２，２−テトラフルオロエタン、
Ｃ４Ｆ９ＯＣＨ３および１，１，２−トリフルオロ−１−メトキシ−２−（トリフルオロメトキシ）エタン、
Ｃ４Ｆ９ＯＣＨ３および１，１，１，２，３，３−ヘキサフルオロ−３−メトキシプロパン、
Ｃ４Ｆ９ＯＣＨ３および１，１，１，３，３，３−ヘキサフルオロ−２−メトキシプロパン、
Ｃ４Ｆ９ＯＣＨ３および１，１，２，２，３，３−ヘキサフルオロ−３−メトキシプロパン、
Ｃ４Ｆ９ＯＣＨ３および１−（１，１−ジフルオロエトキシ）−１，１，２，２−テトラフルオロエタン、
Ｃ４Ｆ９ＯＣＨ３および３−（ジフルオロメトキシ）−１，１，２，２−テトラフルオロプロパン、
Ｃ４Ｆ９ＯＣＨ３および２−（ジフルオロメトキシ）−１，１，１−トリフルオロプロパン、
Ｃ４Ｆ９ＯＣＨ３および１，１，１，２，２−ペンタフルオロ−３−メトキシプロパン、
Ｃ４Ｆ９ＯＣＨ３および２−エトキシ−１，１，１，２−テトラフルオロエタン、
Ｃ４Ｆ９ＯＣＨ３および１−エトキシ−１，１，２，２−テトラフルオロエタン、
Ｃ４Ｆ９ＯＣＨ３および１−（トリフルオロメトキシ）プロパン、
Ｃ４Ｆ９ＯＣＨ３および１，１，１−トリフルオロ−２−エトキシエタン、
Ｃ４Ｆ９ＯＣＨ３および１，１，１−トリフルオロ−３−メトキシプロパン、
Ｃ４Ｆ９ＯＣＨ３および１，１，１−トリフルオロ−２−メトキシプロパン、
Ｃ４Ｆ９ＯＣＨ３および１−エトキシ−１，２，２−トリフルオロエタン、
Ｃ４Ｆ９ＯＣＨ３および１，１，１，２，２，３，３−ヘプタフルオロ−３−（１，２，２，２−テトラフルオロエトキシ）プロパン、
Ｃ４Ｆ９ＯＣＨ３および１，１，１，２，３，３−ヘキサフルオロ−３−（ペンタフルオロエトキシ）プロパン、
Ｃ４Ｆ９ＯＣＨ３および２−エトキシ−１，１，１，２，３，３，３−ヘプタフルオロプロパン、
Ｃ４Ｆ９ＯＣＨ３および３−エトキシ−１，１，１，２，２，３，３−ヘプタフルオロプロパン、
Ｃ４Ｆ９ＯＣＨ３および２−エトキシ−１，１，１，３，３，３−ヘキサフルオロプロパン、
Ｃ４Ｆ９ＯＣＨ３および１−（１，１，２，２−テトラフルオロエトキシ）プロパン、
Ｃ４Ｆ９ＯＣＨ３および３−エトキシ−１，１，２，２−テトラフルオロプロパン、
Ｃ４Ｆ９ＯＣＨ３および２−（１，１，２，２−テトラフルオロエトキシ）プロパン、
Ｃ４Ｆ９ＯＣＨ３および２，３−ジフルオロ−４−（トリフルオロメチル）オキセタン、ならびに
Ｃ４Ｆ９ＯＣＨ３およびＣ４Ｆ９ＯＣ２Ｈ５
よりなる群から選択されることを特徴とする冷媒または伝熱流体組成物。
【請求項２】
（ｉ）遠心圧縮機、（ｉｉ）多段遠心圧縮機、または（ｉｉｉ）シングルスラブ／ワンパス熱交換器を用いる冷凍またはエアコン機器での使用に好適な冷媒または伝熱流体組成物であって、
Ｃ４Ｆ９ＯＣＨ３および１−ジフルオロメトキシ−１，１，２，２−テトラフルオロエタン、
Ｃ４Ｆ９ＯＣＨ３および２−ジフルオロメトキシ−１，１，１，２−テトラフルオロエタン、
Ｃ４Ｆ９ＯＣＨ３および１−（ジフルオロメトキシ）−１，１，２−トリフルオロエタン、
Ｃ４Ｆ９ＯＣＨ３および１，１，１，２，２−ペンタフルオロ−２−メトキシエタン、
Ｃ４Ｆ９ＯＣＨ３および１−（ジフルオロメトキシ）−１，２，２−トリフルオロエタン、
Ｃ４Ｆ９ＯＣＨ３および２−フルオロメトキシ−１，１，１，２−テトラフルオロエタン、
Ｃ４Ｆ９ＯＣＨ３および１，１−ジフルオロ−２−トリフルオロメトキシエタン、
Ｃ４Ｆ９ＯＣＨ３および２−ジフルオロメトキシ−１，１，１−トリフルオロエタン、
Ｃ４Ｆ９ＯＣＨ３および１−メトキシ−１，１，２，２−テトラフルオロエタン、
Ｃ４Ｆ９ＯＣＨ３および１−ジフルオロメトキシ−２，２−ジフルオロエタン、
Ｃ４Ｆ９ＯＣＨ３および２−メトキシ−１，１，２−トリフルオロエタン、
Ｃ４Ｆ９ＯＣＨ３および２−メトキシ−１，１，１−トリフルオロエタン、
Ｃ４Ｆ９ＯＣＨ３および１，１−ジフルオロ−２−メトキシエタン、
Ｃ４Ｆ９ＯＣＨ３および１，１，１，２，２−ペンタフルオロ−２−（２，２，２−Ｃ４Ｆ９ＯＣＨ３およびトリフルオロエトキシ）エタン、
Ｃ４Ｆ９ＯＣＨ３および１，１’−オキシビス（１，２，２，２−テトラフルオロ）エタン、
Ｃ４Ｆ９ＯＣＨ３および２−（ジフルオロメトキシ）−１，１，１，３，３，３−ヘキサフルオロプロパン、
Ｃ４Ｆ９ＯＣＨ３および３−（ジフルオロメトキシ）−１，１，１，２，２，３−ヘキサフルオロプロパン、
Ｃ４Ｆ９ＯＣＨ３および１，１，１，２，２，３，３−ヘプタフルオロ−３−メトキシプロパン、
Ｃ４Ｆ９ＯＣＨ３および１，１，３，３−テトラフルオロ−１−（トリフルオロメトキシ）プロパン、
Ｃ４Ｆ９ＯＣＨ３および１−（２，２−ジフルオロエトキシ）−１，１，２，２，２−ペンタフルオロエタン、
Ｃ４Ｆ９ＯＣＨ３および３−（ジフルオロメトキシ）−１，１，１，２，２−ペンタフルオロプロパン、
Ｃ４Ｆ９ＯＣＨ３および１，１，２，２−テトラフルオロ−３−（トリフルオロメトキシ）プロパン、
Ｃ４Ｆ９ＯＣＨ３および１，１，１，３，３，３−ヘキサフルオロ−２−（フルオロメトキシ）プロパン、
Ｃ４Ｆ９ＯＣＨ３および１−（２，２，２−トリフルオロエトキシ）−１，１，２，２−テトラフルオロエタン、
Ｃ４Ｆ９ＯＣＨ３および１，１，２−トリフルオロ−１−メトキシ−２−（トリフルオロメトキシ）エタン、
Ｃ４Ｆ９ＯＣＨ３および１，１，１，２，３，３−ヘキサフルオロ−３−メトキシプロパン、
Ｃ４Ｆ９ＯＣＨ３および１，１，１，３，３，３−ヘキサフルオロ−２−メトキシプロパン、
Ｃ４Ｆ９ＯＣＨ３および１，１，２，２，３，３−ヘキサフルオロ−３−メトキシプロパン、
Ｃ４Ｆ９ＯＣＨ３および１−（１，１−ジフルオロエトキシ）−１，１，２，２−テトラフルオロエタン、
Ｃ４Ｆ９ＯＣＨ３および３−（ジフルオロメトキシ）−１，１，２，２−テトラフルオロプロパン、
Ｃ４Ｆ９ＯＣＨ３および２−（ジフルオロメトキシ）−１，１，１−トリフルオロプロパン、
Ｃ４Ｆ９ＯＣＨ３および１，１，１，２，２−ペンタフルオロ−３−メトキシプロパン、
Ｃ４Ｆ９ＯＣＨ３および２−エトキシ−１，１，１，２−テトラフルオロエタン、
Ｃ４Ｆ９ＯＣＨ３および１−エトキシ−１，１，２，２−テトラフルオロエタン、
Ｃ４Ｆ９ＯＣＨ３および１−（トリフルオロメトキシ）プロパン、
Ｃ４Ｆ９ＯＣＨ３および１，１，１−トリフルオロ−２−エトキシエタン、
Ｃ４Ｆ９ＯＣＨ３および１，１，１−トリフルオロ−３−メトキシプロパン、
Ｃ４Ｆ９ＯＣＨ３および１，１，１−トリフルオロ−２−メトキシプロパン、
Ｃ４Ｆ９ＯＣＨ３および１−エトキシ−１，２，２−トリフルオロエタン、
Ｃ４Ｆ９ＯＣＨ３および１，１，１，２，２，３，３−ヘプタフルオロ−３−（１，２，２，２−テトラフルオロエトキシ）プロパン、
Ｃ４Ｆ９ＯＣＨ３および１，１，１，２，３，３−ヘキサフルオロ−３−（ペンタフルオロエトキシ）プロパン、
Ｃ４Ｆ９ＯＣＨ３および２−エトキシ−１，１，１，２，３，３，３−ヘプタフルオロプロパン、
Ｃ４Ｆ９ＯＣＨ３および３−エトキシ−１，１，１，２，２，３，３−ヘプタフルオロプロパン、
Ｃ４Ｆ９ＯＣＨ３および２−エトキシ−１，１，１，３，３，３−ヘキサフルオロプロパン、
Ｃ４Ｆ９ＯＣＨ３および１−（１，１，２，２−テトラフルオロエトキシ）プロパン、
Ｃ４Ｆ９ＯＣＨ３および３−エトキシ−１，１，２，２−テトラフルオロプロパン、
Ｃ４Ｆ９ＯＣＨ３および２−（１，１，２，２−テトラフルオロエトキシ）プロパン、
Ｃ４Ｆ９ＯＣＨ３および２，３−ジフルオロ−４−（トリフルオロメチル）オキセタン、ならびに
Ｃ４Ｆ９ＯＣＨ３およびＣ４Ｆ９ＯＣ２Ｈ５
よりなる群から選択されることを特徴とする組成物。
【請求項３】
約１〜約９９重量パーセントのＣ４Ｆ９ＯＣＨ３および約９９〜約１重量パーセントの１−（ジフルオロメトキシ）−１，２，２−トリフルオロエタン、
約１〜約７５重量パーセントのＣ４Ｆ９ＯＣＨ３および約９９〜約２５重量パーセントの２−フルオロメトキシ−１，１，１，２−テトラフルオロエタン、
約１〜約９９重量パーセントのＣ４Ｆ９ＯＣＨ３および約９９〜約１重量パーセントの１−ジフルオロメトキシ−２，２−ジフルオロエタン、
約１〜約９９重量パーセントのＣ４Ｆ９ＯＣＨ３および約９９〜約１重量パーセントの２−メトキシ−１，１，２−トリフルオロエタン、
約１〜約９９重量パーセントのＣ４Ｆ９ＯＣＨ３および約９９〜約１重量パーセントの１，１−ジフルオロ−２−メトキシエタン、
約１〜約９９重量パーセントのＣ４Ｆ９ＯＣＨ３および約９９〜約１重量パーセントの３−（ジフルオロメトキシ）−１，１，１，２，２−ペンタフルオロプロパン、
約１〜約９９重量パーセントのＣ４Ｆ９ＯＣＨ３および約９９〜約１重量パーセントの１，１，２−トリフルオロ−１−メトキシ−２−（トリフルオロメトキシ）エタン、
約１〜約９９重量パーセントのＣ４Ｆ９ＯＣＨ３および約９９〜約１重量パーセントの１，１，１，２，３，３−ヘキサフルオロ−３−メトキシプロパン、
約１〜約９９重量パーセントのＣ４Ｆ９ＯＣＨ３および約９９〜約１重量パーセントの１，１，１，３，３，３−ヘキサフルオロ−２−メトキシプロパン、
約１〜約９９重量パーセントのＣ４Ｆ９ＯＣＨ３および約９９〜約１重量パーセントの１，１，１，２，２−ペンタフルオロ−３−メトキシプロパン、
約１〜約９９重量パーセントのＣ４Ｆ９ＯＣＨ３および約９９〜約１重量パーセントの２−エトキシ−１，１，１，２−テトラフルオロエタン、
約１〜約９９重量パーセントのＣ４Ｆ９ＯＣＨ３および約９９〜約１重量パーセントの１−エトキシ−１，１，２，２−テトラフルオロエタン、
約１〜約９９重量パーセントのＣ４Ｆ９ＯＣＨ３および約９９〜約１重量パーセントの１，１，１−トリフルオロ−２−エトキシエタン、
約１〜約９９重量パーセントのＣ４Ｆ９ＯＣＨ３および約９９〜約１重量パーセントの１，１，１−トリフルオロ−３−メトキシプロパン、
約１〜約９９重量パーセントのＣ４Ｆ９ＯＣＨ３および約９９〜約１重量パーセントの２−エトキシ−１，１，１，２，３，３，３−ヘプタフルオロプロパン、
約１〜約９９重量パーセントのＣ４Ｆ９ＯＣＨ３および約９９〜約１重量パーセントの３−エトキシ−１，１，１，２，２，３，３−ヘプタフルオロプロパン、
約１〜約９９重量パーセントのＣ４Ｆ９ＯＣＨ３および約９９〜約１重量パーセントの１−（１，１，２，２−テトラフルオロエトキシ）プロパン、
約１〜約９９重量パーセントのＣ４Ｆ９ＯＣＨ３および約９９〜約１重量パーセントの２，３−ジフルオロ−４−（トリフルオロメチル）オキセタン、ならびに
約１〜約９９重量パーセントのＣ４Ｆ９ＯＣＨ３および約９９〜約１重量パーセントのＣ４Ｆ９ＯＣ２Ｈ５
よりなる群から選択されることを特徴とする共沸または擬共沸組成物。
【請求項４】
約５０．７℃の温度で約１４．７ｐｓｉａ（１０１ｋＰａ）の蒸気圧を有する４０．３重量パーセントのＣ４Ｆ９ＯＣＨ３および５９．７重量パーセントの１−（ジフルオロメトキシ）−１，２，２−トリフルオロエタン、
約４３．０℃の温度で約１４．７ｐｓｉａ（１０１ｋＰａ）の蒸気圧を有する４．４重量パーセントのＣ４Ｆ９ＯＣＨ３および９５．６重量パーセントの２−フルオロメトキシ−１，１，１，２−テトラフルオロエタン、
約５２．４℃の温度で約１４．７ｐｓｉａ（１０１ｋＰａ）の蒸気圧を有する４６．２重量パーセントのＣ４Ｆ９ＯＣＨ３および５３．８重量パーセントの１−ジフルオロメトキシ−２，２−ジフルオロエタン、
約５１．９℃の温度で約１４．７ｐｓｉａ（１０１ｋＰａ）の蒸気圧を有する６３．２重量パーセントのＣ４Ｆ９ＯＣＨ３および３６．８重量パーセントの２−メトキシ−１，１，２−トリフルオロエタン、
約４６．９℃の温度で約１４．７ｐｓｉａ（１０１ｋＰａ）の蒸気圧を有する３９．４重量パーセントのＣ４Ｆ９ＯＣＨ３および６０．６重量パーセントの１，１−ジフルオロ−２−メトキシエタン、
約５７．７℃の温度で約１４．７ｐｓｉａ（１０１ｋＰａ）の蒸気圧を有する３５．４重量パーセントのＣ４Ｆ９ＯＣＨ３および６４．６重量パーセントの１，１，２−トリフルオロ−１−メトキシ−２−（トリフルオロメトキシ）エタン、
約５７．９℃の温度で約１４．７ｐｓｉａ（１０１ｋＰａ）の蒸気圧を有する１８．９重量パーセントのＣ４Ｆ９ＯＣＨ３および８１．１重量パーセントの２−エトキシ−１，１，１，２−テトラフルオロエタン、
約５５．８℃の温度で約１４．７ｐｓｉａ（１０１ｋＰａ）の蒸気圧を有する１９．９重量パーセントのＣ４Ｆ９ＯＣＨ３および８０．１重量パーセントの１−エトキシ−１，１，２，２−テトラフルオロエタン、
約５４．７℃の温度で約１４．７ｐｓｉａ（１０１ｋＰａ）の蒸気圧を有する２２．１重量パーセントのＣ４Ｆ９ＯＣＨ３および７７．９重量パーセントの１，１，１−トリフルオロ−３−メトキシプロパン、ならびに
約５８．６℃の温度で約１４．７ｐｓｉａ（１０１ｋＰａ）の蒸気圧を有する３９．５重量パーセントのＣ４Ｆ９ＯＣＨ３および６０．５重量パーセントの２，３−ジフルオロ−４−（トリフルオロメチル）オキセタン
よりなる群から選択されることを特徴とする共沸組成物。
【手続補正２】
【補正対象書類名】明細書
【補正対象項目名】０１１４
【補正方法】変更
【補正の内容】
【０１１４】
データは、本発明の組成物がＣＦＣ−１１３に類似のエバポレーターおよび凝縮器圧力を有することを示す。幾つかの組成物はまた、ＣＦＣ−１１３より高いキャパシティまたはエネルギー効率（ＣＯＰ）を有する。
本発明は、以下の態様を含む。
（態様１）
Ｃ４Ｆ９ＯＣＨ３および１−ジフルオロメトキシ−１，１，２，２−テトラフルオロエタン、
Ｃ４Ｆ９ＯＣＨ３および２−ジフルオロメトキシ−１，１，１，２−テトラフルオロエタン、
Ｃ４Ｆ９ＯＣＨ３および１−（ジフルオロメトキシ）−１，１，２−トリフルオロエタン、
Ｃ４Ｆ９ＯＣＨ３および１，１，１，２，２−ペンタフルオロ−２−メトキシエタン、
Ｃ４Ｆ９ＯＣＨ３および１−（ジフルオロメトキシ）−１，２，２−トリフルオロエタン、
Ｃ４Ｆ９ＯＣＨ３および２−フルオロメトキシ−１，１，１，２−テトラフルオロエタン、
Ｃ４Ｆ９ＯＣＨ３および１，１−ジフルオロ−２−トリフルオロメトキシエタン、
Ｃ４Ｆ９ＯＣＨ３および２−ジフルオロメトキシ−１，１，１−トリフルオロエタン、
Ｃ４Ｆ９ＯＣＨ３および１−メトキシ−１，１，２，２−テトラフルオロエタン、
Ｃ４Ｆ９ＯＣＨ３および１−ジフルオロメトキシ−２，２−ジフルオロエタン、
Ｃ４Ｆ９ＯＣＨ３および２−メトキシ−１，１，２−トリフルオロエタン、
Ｃ４Ｆ９ＯＣＨ３および２−メトキシ−１，１，１−トリフルオロエタン、
Ｃ４Ｆ９ＯＣＨ３および１，１−ジフルオロ−２−メトキシエタン、
Ｃ４Ｆ９ＯＣＨ３および１，１，１，２，２−ペンタフルオロ−２−（２，２，２−Ｃ４Ｆ９ＯＣＨ３およびトリフルオロエトキシ）エタン、
Ｃ４Ｆ９ＯＣＨ３および１，１’−オキシビス（１，２，２，２−テトラフルオロ）エタン、
Ｃ４Ｆ９ＯＣＨ３および２−（ジフルオロメトキシ）−１，１，１，３，３，３−ヘキサフルオロプロパン、
Ｃ４Ｆ９ＯＣＨ３および３−（ジフルオロメトキシ）−１，１，１，２，２，３−ヘキサフルオロプロパン、
Ｃ４Ｆ９ＯＣＨ３および１，１，１，２，２，３，３−ヘプタフルオロ−３−メトキシプロパン、
Ｃ４Ｆ９ＯＣＨ３および１，１，３，３−テトラフルオロ−１−（トリフルオロメトキシ）プロパン、
Ｃ４Ｆ９ＯＣＨ３および１−（２，２−ジフルオロエトキシ）−１，１，２，２，２−ペンタフルオロエタン、
Ｃ４Ｆ９ＯＣＨ３および３−（ジフルオロメトキシ）−１，１，１，２，２−ペンタフルオロプロパン、
Ｃ４Ｆ９ＯＣＨ３および１，１，２，２−テトラフルオロ−３−（トリフルオロメトキシ）プロパン、
Ｃ４Ｆ９ＯＣＨ３および１，１，１，３，３，３−ヘキサフルオロ−２−（フルオロメトキシ）プロパン、
Ｃ４Ｆ９ＯＣＨ３および１−（２，２，２−トリフルオロエトキシ）−１，１，２，２−テトラフルオロエタン、
Ｃ４Ｆ９ＯＣＨ３および１，１，２−トリフルオロ−１−メトキシ−２−（トリフルオロメトキシ）エタン、
Ｃ４Ｆ９ＯＣＨ３および１，１，１，２，３，３−ヘキサフルオロ−３−メトキシプロパン、
Ｃ４Ｆ９ＯＣＨ３および１，１，１，３，３，３−ヘキサフルオロ−２−メトキシプロパン、
Ｃ４Ｆ９ＯＣＨ３および１，１，２，２，３，３−ヘキサフルオロ−３−メトキシプロパン、
Ｃ４Ｆ９ＯＣＨ３および１−（１，１−ジフルオロエトキシ）−１，１，２，２−テトラフルオロエタン、
Ｃ４Ｆ９ＯＣＨ３および３−（ジフルオロメトキシ）−１，１，２，２−テトラフルオロプロパン、
Ｃ４Ｆ９ＯＣＨ３および２−（ジフルオロメトキシ）−１，１，１−トリフルオロプロパン、
Ｃ４Ｆ９ＯＣＨ３および１，１，１，２，２−ペンタフルオロ−３−メトキシプロパン、
Ｃ４Ｆ９ＯＣＨ３および２−エトキシ−１，１，１，２−テトラフルオロエタン、
Ｃ４Ｆ９ＯＣＨ３および１−エトキシ−１，１，２，２−テトラフルオロエタン、
Ｃ４Ｆ９ＯＣＨ３および１−（トリフルオロメトキシ）プロパン、
Ｃ４Ｆ９ＯＣＨ３および１，１，１−トリフルオロ−２−エトキシエタン、
Ｃ４Ｆ９ＯＣＨ３および１，１，１−トリフルオロ−３−メトキシプロパン、
Ｃ４Ｆ９ＯＣＨ３および１，１，１−トリフルオロ−２−メトキシプロパン、
Ｃ４Ｆ９ＯＣＨ３および１−エトキシ−１，２，２−トリフルオロエタン、
Ｃ４Ｆ９ＯＣＨ３および１，１，１，２，２，３，３−ヘプタフルオロ−３−（１，２，２，２−テトラフルオロエトキシ）プロパン、
Ｃ４Ｆ９ＯＣＨ３および１，１，１，２，３，３−ヘキサフルオロ−３−（ペンタフルオロエトキシ）プロパン、
Ｃ４Ｆ９ＯＣＨ３および２−エトキシ−１，１，１，２，３，３，３−ヘプタフルオロプロパン、
Ｃ４Ｆ９ＯＣＨ３および３−エトキシ−１，１，１，２，２，３，３−ヘプタフルオロプロパン、
Ｃ４Ｆ９ＯＣＨ３および２−エトキシ−１，１，１，３，３，３−ヘキサフルオロプロパン、
Ｃ４Ｆ９ＯＣＨ３および１−（１，１，２，２−テトラフルオロエトキシ）プロパン、
Ｃ４Ｆ９ＯＣＨ３および３−エトキシ−１，１，２，２−テトラフルオロプロパン、
Ｃ４Ｆ９ＯＣＨ３および２−（１，１，２，２−テトラフルオロエトキシ）プロパン、
Ｃ４Ｆ９ＯＣＨ３および２，３−ジフルオロ−４−（トリフルオロメチル）オキセタン、ならびに
Ｃ４Ｆ９ＯＣＨ３およびＣ４Ｆ９ＯＣ２Ｈ５
よりなる群から選択されることを特徴とする冷媒または伝熱流体組成物。
（態様２）
（ｉ）遠心圧縮機、（ｉｉ）多段遠心圧縮機、または（ｉｉｉ）シングルスラブ／ワンパス熱交換器を用いる冷凍またはエアコン機器での使用に好適な冷媒または伝熱流体組成物であって、
Ｃ４Ｆ９ＯＣＨ３および１−ジフルオロメトキシ−１，１，２，２−テトラフルオロエタン、
Ｃ４Ｆ９ＯＣＨ３および２−ジフルオロメトキシ−１，１，１，２−テトラフルオロエタン、
Ｃ４Ｆ９ＯＣＨ３および１−（ジフルオロメトキシ）−１，１，２−トリフルオロエタン、
Ｃ４Ｆ９ＯＣＨ３および１，１，１，２，２−ペンタフルオロ−２−メトキシエタン、
Ｃ４Ｆ９ＯＣＨ３および１−（ジフルオロメトキシ）−１，２，２−トリフルオロエタン、
Ｃ４Ｆ９ＯＣＨ３および２−フルオロメトキシ−１，１，１，２−テトラフルオロエタン、
Ｃ４Ｆ９ＯＣＨ３および１，１−ジフルオロ−２−トリフルオロメトキシエタン、
Ｃ４Ｆ９ＯＣＨ３および２−ジフルオロメトキシ−１，１，１−トリフルオロエタン、
Ｃ４Ｆ９ＯＣＨ３および１−メトキシ−１，１，２，２−テトラフルオロエタン、
Ｃ４Ｆ９ＯＣＨ３および１−ジフルオロメトキシ−２，２−ジフルオロエタン、
Ｃ４Ｆ９ＯＣＨ３および２−メトキシ−１，１，２−トリフルオロエタン、
Ｃ４Ｆ９ＯＣＨ３および２−メトキシ−１，１，１−トリフルオロエタン、
Ｃ４Ｆ９ＯＣＨ３および１，１−ジフルオロ−２−メトキシエタン、
Ｃ４Ｆ９ＯＣＨ３および１，１，１，２，２−ペンタフルオロ−２−（２，２，２−Ｃ４Ｆ９ＯＣＨ３およびトリフルオロエトキシ）エタン、
Ｃ４Ｆ９ＯＣＨ３および１，１’−オキシビス（１，２，２，２−テトラフルオロ）エタン、
Ｃ４Ｆ９ＯＣＨ３および２−（ジフルオロメトキシ）−１，１，１，３，３，３−ヘキサフルオロプロパン、
Ｃ４Ｆ９ＯＣＨ３および３−（ジフルオロメトキシ）−１，１，１，２，２，３−ヘキサフルオロプロパン、
Ｃ４Ｆ９ＯＣＨ３および１，１，１，２，２，３，３−ヘプタフルオロ−３−メトキシプロパン、
Ｃ４Ｆ９ＯＣＨ３および１，１，３，３−テトラフルオロ−１−（トリフルオロメトキシ）プロパン、
Ｃ４Ｆ９ＯＣＨ３および１−（２，２−ジフルオロエトキシ）−１，１，２，２，２−ペンタフルオロエタン、
Ｃ４Ｆ９ＯＣＨ３および３−（ジフルオロメトキシ）−１，１，１，２，２−ペンタフルオロプロパン、
Ｃ４Ｆ９ＯＣＨ３および１，１，２，２−テトラフルオロ−３−（トリフルオロメトキシ）プロパン、
Ｃ４Ｆ９ＯＣＨ３および１，１，１，３，３，３−ヘキサフルオロ−２−（フルオロメトキシ）プロパン、
Ｃ４Ｆ９ＯＣＨ３および１−（２，２，２−トリフルオロエトキシ）−１，１，２，２−テトラフルオロエタン、
Ｃ４Ｆ９ＯＣＨ３および１，１，２−トリフルオロ−１−メトキシ−２−（トリフルオロメトキシ）エタン、
Ｃ４Ｆ９ＯＣＨ３および１，１，１，２，３，３−ヘキサフルオロ−３−メトキシプロパン、
Ｃ４Ｆ９ＯＣＨ３および１，１，１，３，３，３−ヘキサフルオロ−２−メトキシプロパン、
Ｃ４Ｆ９ＯＣＨ３および１，１，２，２，３，３−ヘキサフルオロ−３−メトキシプロパン、
Ｃ４Ｆ９ＯＣＨ３および１−（１，１−ジフルオロエトキシ）−１，１，２，２−テトラフルオロエタン、
Ｃ４Ｆ９ＯＣＨ３および３−（ジフルオロメトキシ）−１，１，２，２−テトラフルオロプロパン、
Ｃ４Ｆ９ＯＣＨ３および２−（ジフルオロメトキシ）−１，１，１−トリフルオロプロパン、
Ｃ４Ｆ９ＯＣＨ３および１，１，１，２，２−ペンタフルオロ−３−メトキシプロパン、
Ｃ４Ｆ９ＯＣＨ３および２−エトキシ−１，１，１，２−テトラフルオロエタン、
Ｃ４Ｆ９ＯＣＨ３および１−エトキシ−１，１，２，２−テトラフルオロエタン、
Ｃ４Ｆ９ＯＣＨ３および１−（トリフルオロメトキシ）プロパン、
Ｃ４Ｆ９ＯＣＨ３および１，１，１−トリフルオロ−２−エトキシエタン、
Ｃ４Ｆ９ＯＣＨ３および１，１，１−トリフルオロ−３−メトキシプロパン、
Ｃ４Ｆ９ＯＣＨ３および１，１，１−トリフルオロ−２−メトキシプロパン、
Ｃ４Ｆ９ＯＣＨ３および１−エトキシ−１，２，２−トリフルオロエタン、
Ｃ４Ｆ９ＯＣＨ３および１，１，１，２，２，３，３−ヘプタフルオロ−３−（１，２，２，２−テトラフルオロエトキシ）プロパン、
Ｃ４Ｆ９ＯＣＨ３および１，１，１，２，３，３−ヘキサフルオロ−３−（ペンタフルオロエトキシ）プロパン、
Ｃ４Ｆ９ＯＣＨ３および２−エトキシ−１，１，１，２，３，３，３−ヘプタフルオロプロパン、
Ｃ４Ｆ９ＯＣＨ３および３−エトキシ−１，１，１，２，２，３，３−ヘプタフルオロプロパン、
Ｃ４Ｆ９ＯＣＨ３および２−エトキシ−１，１，１，３，３，３−ヘキサフルオロプロパン、
Ｃ４Ｆ９ＯＣＨ３および１−（１，１，２，２−テトラフルオロエトキシ）プロパン、
Ｃ４Ｆ９ＯＣＨ３および３−エトキシ−１，１，２，２−テトラフルオロプロパン、
Ｃ４Ｆ９ＯＣＨ３および２−（１，１，２，２−テトラフルオロエトキシ）プロパン、
Ｃ４Ｆ９ＯＣＨ３および２，３−ジフルオロ−４−（トリフルオロメチル）オキセタン、ならびに
Ｃ４Ｆ９ＯＣＨ３およびＣ４Ｆ９ＯＣ２Ｈ５
よりなる群から選択されることを特徴とする組成物。
（態様３）
約１〜約９９重量パーセントのＣ４Ｆ９ＯＣＨ３および約９９〜約１重量パーセントの１−（ジフルオロメトキシ）−１，２，２−トリフルオロエタン、
約１〜約７５重量パーセントのＣ４Ｆ９ＯＣＨ３および約９９〜約２５重量パーセントの２−フルオロメトキシ−１，１，１，２−テトラフルオロエタン、
約１〜約９９重量パーセントのＣ４Ｆ９ＯＣＨ３および約９９〜約１重量パーセントの１−ジフルオロメトキシ−２，２−ジフルオロエタン、
約１〜約９９重量パーセントのＣ４Ｆ９ＯＣＨ３および約９９〜約１重量パーセントの２−メトキシ−１，１，２−トリフルオロエタン、
約１〜約９９重量パーセントのＣ４Ｆ９ＯＣＨ３および約９９〜約１重量パーセントの１，１−ジフルオロ−２−メトキシエタン、
約１〜約９９重量パーセントのＣ４Ｆ９ＯＣＨ３および約９９〜約１重量パーセントの３−（ジフルオロメトキシ）−１，１，１，２，２−ペンタフルオロプロパン、
約１〜約９９重量パーセントのＣ４Ｆ９ＯＣＨ３および約９９〜約１重量パーセントの１，１，２−トリフルオロ−１−メトキシ−２−（トリフルオロメトキシ）エタン、
約１〜約９９重量パーセントのＣ４Ｆ９ＯＣＨ３および約９９〜約１重量パーセントの１，１，１，２，３，３−ヘキサフルオロ−３−メトキシプロパン、
約１〜約９９重量パーセントのＣ４Ｆ９ＯＣＨ３および約９９〜約１重量パーセントの１，１，１，３，３，３−ヘキサフルオロ−２−メトキシプロパン、
約１〜約９９重量パーセントのＣ４Ｆ９ＯＣＨ３および約９９〜約１重量パーセントの１，１，１，２，２−ペンタフルオロ−３−メトキシプロパン、
約１〜約９９重量パーセントのＣ４Ｆ９ＯＣＨ３および約９９〜約１重量パーセントの２−エトキシ−１，１，１，２−テトラフルオロエタン、
約１〜約９９重量パーセントのＣ４Ｆ９ＯＣＨ３および約９９〜約１重量パーセントの１−エトキシ−１，１，２，２−テトラフルオロエタン、
約１〜約９９重量パーセントのＣ４Ｆ９ＯＣＨ３および約９９〜約１重量パーセントの１，１，１−トリフルオロ−２−エトキシエタン、
約１〜約９９重量パーセントのＣ４Ｆ９ＯＣＨ３および約９９〜約１重量パーセントの１，１，１−トリフルオロ−３−メトキシプロパン、
約１〜約９９重量パーセントのＣ４Ｆ９ＯＣＨ３および約９９〜約１重量パーセントの２−エトキシ−１，１，１，２，３，３，３−ヘプタフルオロプロパン、
約１〜約９９重量パーセントのＣ４Ｆ９ＯＣＨ３および約９９〜約１重量パーセントの３−エトキシ−１，１，１，２，２，３，３−ヘプタフルオロプロパン、
約１〜約９９重量パーセントのＣ４Ｆ９ＯＣＨ３および約９９〜約１重量パーセントの１−（１，１，２，２−テトラフルオロエトキシ）プロパン、
約１〜約９９重量パーセントのＣ４Ｆ９ＯＣＨ３および約９９〜約１重量パーセントの２，３−ジフルオロ−４−（トリフルオロメチル）オキセタン、ならびに
約１〜約９９重量パーセントのＣ４Ｆ９ＯＣＨ３および約９９〜約１重量パーセントのＣ４Ｆ９ＯＣ２Ｈ５
よりなる群から選択されることを特徴とする共沸または擬共沸組成物。
（態様４）
約５０．７℃の温度で約１４．７ｐｓｉａ（１０１ｋＰａ）の蒸気圧を有する４０．３重量パーセントのＣ４Ｆ９ＯＣＨ３および５９．７重量パーセントの１−（ジフルオロメトキシ）−１，２，２−トリフルオロエタン、
約４３．０℃の温度で約１４．７ｐｓｉａ（１０１ｋＰａ）の蒸気圧を有する４．４重量パーセントのＣ４Ｆ９ＯＣＨ３および９５．６重量パーセントの２−フルオロメトキシ−１，１，１，２−テトラフルオロエタン、
約５２．４℃の温度で約１４．７ｐｓｉａ（１０１ｋＰａ）の蒸気圧を有する４６．２重量パーセントのＣ４Ｆ９ＯＣＨ３および５３．８重量パーセントの１−ジフルオロメトキシ−２，２−ジフルオロエタン、
約５１．９℃の温度で約１４．７ｐｓｉａ（１０１ｋＰａ）の蒸気圧を有する６３．２重量パーセントのＣ４Ｆ９ＯＣＨ３および３６．８重量パーセントの２−メトキシ−１，１，２−トリフルオロエタン、
約４６．９℃の温度で約１４．７ｐｓｉａ（１０１ｋＰａ）の蒸気圧を有する３９．４重量パーセントのＣ４Ｆ９ＯＣＨ３および６０．６重量パーセントの１，１−ジフルオロ−２−メトキシエタン、
約５７．７℃の温度で約１４．７ｐｓｉａ（１０１ｋＰａ）の蒸気圧を有する３５．４重量パーセントのＣ４Ｆ９ＯＣＨ３および６４．６重量パーセントの１，１，２−トリフルオロ−１−メトキシ−２−（トリフルオロメトキシ）エタン、
約５７．９℃の温度で約１４．７ｐｓｉａ（１０１ｋＰａ）の蒸気圧を有する１８．９重量パーセントのＣ４Ｆ９ＯＣＨ３および８１．１重量パーセントの２−エトキシ−１，１，１，２−テトラフルオロエタン、
約５５．８℃の温度で約１４．７ｐｓｉａ（１０１ｋＰａ）の蒸気圧を有する１９．９重量パーセントのＣ４Ｆ９ＯＣＨ３および８０．１重量パーセントの１−エトキシ−１，１，２，２−テトラフルオロエタン、
約５４．７℃の温度で約１４．７ｐｓｉａ（１０１ｋＰａ）の蒸気圧を有する２２．１重量パーセントのＣ４Ｆ９ＯＣＨ３および７７．９重量パーセントの１，１，１−トリフルオロ−３−メトキシプロパン、ならびに
約５８．６℃の温度で約１４．７ｐｓｉａ（１０１ｋＰａ）の蒸気圧を有する３９．５重量パーセントのＣ４Ｆ９ＯＣＨ３および６０．５重量パーセントの２，３−ジフルオロ−４−（トリフルオロメチル）オキセタン
よりなる群から選択されることを特徴とする共沸組成物。
（態様５）
冷却される物体の近傍で上記態様１〜４のいずれか一つに記載の組成物を蒸発させ、その後前記組成物を凝縮させる工程を含むことを特徴とする冷却をもたらすための方法。
（態様６）
加熱される物体の近傍で上記態様１〜４のいずれか一つに記載の組成物を凝縮させ、その後前記組成物を蒸発させる工程を含むことを特徴とする熱をもたらすための方法。
（態様７）
前記組成物を熱源からヒートシンクへ移す工程を含むことを特徴とする伝熱のための上記態様１〜４のいずれか一つに記載の組成物の使用方法。
（態様８）
ナフタルイミド、ペリレン、クマリン、アントラセン、フェナントレン、キサンテン、チオキサンテン、ナフトキサンテン、フルオレセイン、前記染料の誘導体、およびそれらの組合せよりなる群から選択された少なくとも１つの紫外線蛍光染料をさらに含むことを特徴とする上記態様１に記載の組成物。
（態様９）
ナフタルイミド、ペリレン、クマリン、アントラセン、フェナントレン、キサンテン、チオキサンテン、ナフトキサンテン、フルオレセイン、前記染料の誘導体およびそれらの組合せよりなる群から選択された少なくとも１つの紫外線蛍光染料をさらに含むことを特徴とする上記態様２〜４のいずれか一つに記載の組成物。
（態様１０）
炭化水素、ジメチルエーテル、ポリオキシアルキレングリコールエーテル、アミド、ケトン、ニトリル、クロロカーボン、エステル、ラクトン、アリールエーテル、ヒドロフルオロエーテル、および１，１，１−トリフルオロアルカンよりなる群から選択された少なくとも１つの可溶化剤をさらに含み、冷媒および可溶化剤が同じ化合物ではないことを特徴とする上記態様８に記載の組成物。
（態様１１）
前記可溶化剤が、
ａ）式Ｒ１［（ＯＲ２）ｘＯＲ３］ｙ（式中、ｘが１〜３の整数であり、ｙが１〜４の整数であり、Ｒ１が水素および１〜６個の炭素原子とｙ個の結合部位とを有する脂肪族炭化水素基から選択され、Ｒ２が２〜４個の炭素原子を有する脂肪族ヒドロカルビレン基から選択され、Ｒ３が水素、ならびに１〜６個の炭素原子を有する脂肪族および脂環式炭化水素基から選択され、Ｒ１およびＲ３の少なくとも１つが前記炭化水素基から選択される）で表され、約１００〜約３００原子質量単位の分子量を有するポリオキシアルキレングリコールエーテル、
ｂ）式Ｒ１ＣＯＮＲ２Ｒ３およびシクロ−［Ｒ４ＣＯＮ（Ｒ５）−］（式中、Ｒ１、Ｒ２、Ｒ３およびＲ５が独立して１〜１２個の炭素原子を有する脂肪族および脂環式炭化水素基、ならびに６〜１２個の炭素原子を有する多くても１つの芳香族基から選択され、Ｒ４が３〜１２個の炭素原子を有する脂肪族ヒドロカルビレン基から選択される）で表され、約１００〜約３００原子質量単位の分子量を有するアミド、
ｃ）式Ｒ１ＣＯＲ２（式中、Ｒ１およびＲ２が独立して１〜１２個の炭素原子を有する脂肪族、脂環式およびアリール炭化水素基から選択される）で表され、約７０〜約３００原子質量単位の分子量を有するケトン、
ｄ）式Ｒ１ＣＮ（式中、Ｒ１が５〜１２個の炭素原子を有する脂肪族、脂環式またはアリール炭化水素基から選択される）で表され、約９０〜約２００原子質量単位の分子量を有するニトリル、
ｅ）式ＲＣｌｘ（式中、ｘが整数１または２から選択され、Ｒが１〜１２個の炭素原子を有する脂肪族および脂環式炭化水素基から選択される）で表され、約１００〜約２００原子質量単位の分子量を有するクロロカーボン、
ｆ）式Ｒ１ＯＲ２（式中、Ｒ１が６〜１２個の炭素原子を有するアリール炭化水素基から選択され、Ｒ２が１〜４個の炭素原子を有する脂肪族炭化水素基から選択される）で表され、約１００〜約１５０原子質量単位の分子量を有するアリールエーテル、
ｇ）式ＣＦ３Ｒ１（式中、Ｒ１が約５〜約１５個の炭素原子を有する脂肪族および脂環式炭化水素基から選択される）で表される１，１，１−トリフルオロアルカン、
ｉ）式Ｒ１ＯＣＦ２ＣＦ２Ｈ（式中、Ｒ１が約５〜約１５個の炭素原子を有する脂肪族および脂環式炭化水素基から選択される）で表されるヒドロフルオロエーテル、および
ｊ）構造［Ｂ］、［Ｃ］、および［Ｄ］
【化１】
2007517974.tif 000001
（ここでＲ１〜Ｒ８が独立して水素、線状、分岐、環式、二環式、飽和および不飽和のヒドロカルビル基から選択される）で表され、分子量が約１００〜約３００原子質量単位であるラクトン、ならびに
ｋ）一般式Ｒ１ＣＯ２Ｒ２（式中、Ｒ１およびＲ２が独立して線状および環式の、飽和および不飽和の、アルキルおよびアリール基から選択される）で表され、約８０〜約５５０原子質量単位の分子量を有するエステル、
よりなる群から選択されることを特徴とする上記態様１０に記載の組成物。
（態様１２）
（ｉ）紫外線蛍光染料を可溶化剤の存在下で伝熱流体の冷媒組成物に溶解させ、該組合せを前記圧縮冷凍もしくはエアコン機器へ導入すること、または（ｉｉ）可溶化剤と紫外線蛍光染料とを組み合わせ、前記組合せを冷媒および／または伝熱流体を含有する冷凍もしくはエアコン機器へ導入することによって組成物を圧縮冷凍またはエアコン機器へ導入する工程を含むことを特徴とする上記態様１０に記載の組成物の使用方法。
（態様１３）
前記組成物を前記機器に提供する工程と、前記機器の漏洩ポイントでまたは近傍で前記組成物を検出するための好適な手段を提供する工程とを含むことを特徴とする圧縮冷凍またはエアコン機器での上記態様８または１０に記載の組成物の使用方法。
（態様１４）
（ｉ）冷却される物体の近傍で前記組成物を蒸発させ、その後前記組成物を凝縮させることによって冷却をもたらす工程、または
（ｉｉ）加熱される物体の近傍で前記組成物を凝縮させ、その後前記組成物を蒸発させることによって熱をもたらす工程
を含むことを特徴とする上記態様８または１０に記載の組成物の使用方法。
（態様１５）
熱安定剤または臭気を帯びたマスキング剤をさらに含むことを特徴とする上記態様１または１０に記載の組成物。
（態様１６）
前記熱安定剤がニトロメタンであることを特徴とする上記態様１５に記載の組成物。
（態様１７）
多段遠心圧縮機を用いる冷凍またはエアコン機器で熱または冷却をもたらす工程を含むことを特徴とする上記態様２または３に記載の組成物の使用方法。
（態様１８）
前記多段遠心圧縮機が２段遠心圧縮機であることを特徴とする上記態様１７に記載の方法。